(57)【特許請求の範囲】
【請求項１】
視度調整を行うために接眼レンズを該接眼レンズの光軸方向に移動可能に保持する接眼レンズ保持部と、
前記光軸方向とは異なる第１の方向に直線移動することにより前記保持部を介して前記接眼レンズを前記光軸方向に移動させるカムと、
前記カムを前記第１の方向に移動させるために、前記カムと一体になって前記第１の方向に摺動する摺動部材とを備え、
前記摺動部材は、前記接眼レンズから伸びる前記第１の方向上に設けられ、
前記接眼レンズと、前記保持部と前記カムとが係合する部位と、前記摺動部材とは前記第１の方向に略一直線上に配置されることを特徴とするファインダの視度調整機構。
【請求項２】
請求項１に記載のファインダの視度調整機構において、
前記第１の方向は、前記光軸方向と略垂直な方向であることを特徴とするファインダの視度調整機構。
【請求項３】
請求項１から２のいずれか１項に記載のファインダの視度調整機構において、
視度調整を行うために操作される、前記摺動部材と係合する操作部材をさらに備え、
前記操作部材の操作面は前記光軸方向に対して斜めになる角度を有することを特徴とするファインダの視度調整機構。
【請求項４】
請求項３に記載のファインダの視度調整機構において、
前記摺動部材は、前記操作部材と係合する近傍において、前記操作面と平行する斜面を有することを特徴とするファインダの視度調整機構。
【請求項５】
請求項１から２のいずれか１項に記載のファインダの視度調整機構において、
視度調整を行うために操作され、前記摺動部材と係合する操作部材と、
前記摺動部材を収納し、前記摺動部材を前記第１の方向に摺動させる摺動面を有し、ファインダの視度調整機構製造時に前記摺動部材が装着可能なようにかつ前記操作部材と係合が可能なように前記操作部材が配置される側が開放されたコの字形状の収納部材をさらに備えることを特徴とするファインダの視度調整機構。
【請求項６】
請求項５に記載のファインダの視度調整機構において、
前記操作部材の操作面は前記光軸方向に対して斜めになる角度を有し、
前記収納部材のコの字形状の開放方向に伸びる２つの面は、前記操作面に沿うように開放方向への長さが異なることを特徴とするファインダの視度調整機構。
【請求項７】
請求項６に記載のファインダの視度調整機構において、
前記収納部材のコの字形状の開放方向への長さが長い方の面に前記摺動部材を案内する案内部を設けることを特徴とするファインダの視度調整機構。
【請求項８】
請求項３から７のいずれか１項に記載のファインダの視度調整機構において、
前記操作部材は回転操作部材であり、
前記操作部材と前記摺動部材は、前記操作部材の回転を前記摺動部材の前記第１の方向の直線運動に変換する機構を有することを特徴とするファインダの視度調整機構。
【請求項９】
請求項１から８のいずれか１項に記載のファインダの視度調整機構において、
前記カムと前記摺動部材とは一体に形成されていることを特徴とするファインダの視度調整機構。
【請求項１０】
請求項３、４、６、７のいずれか１項に記載のファインダの視度調整機構を有するファインダ光学系を備え、
カメラの外形上面と外形背面の交わる稜線部分を削ぐようにして形成された斜面部分に、前記操作面が該斜面部分に略平行になるように、前記操作部材が設けられることを特徴とするカメラ。
【請求項１１】
請求項１から９のいずれか１項に記載のファインダの視度調整機構を有するファインダ光学系と、
カメラ内蔵の閃光装置とを備え、
前記摺動部材は、前記閃光装置の発光部がカメラに収納された状態の該発光部のカメラ後方側に設けられることを特徴とするカメラ。
【請求項１２】
請求項３から８のいずれか１項に記載のファインダの視度調整機構を有するファインダ光学系と、
カメラ内蔵の閃光装置とを備え、
前記摺動部材は、前記閃光装置の発光部がカメラに収納された状態の該発光部と前記操作部材との間に設けられることを特徴とするカメラ。
【発明の詳細な説明】
【０００１】
【発明の属する技術分野】
本発明は、カメラなどのファインダの視度調整機構に関する。
【０００２】
【従来の技術】
視力に合わせてファインダ像をはっきり見えるように調整できる視度調整機構を備えたカメラのファインダが知られている。一方、近年のカメラのデザインにおいて、カメラを小さく見せるために面の交わる稜線を大きくそぐデザインが採用されることがある。
【０００３】
図１２は、ファインダ接眼部１００、視度調整ダイアル１０１、接眼レンズ１０２、閃光装置１０４近辺をカメラ後方から見た従来カメラの外観デザインの一例である。図１２のカメラでは、視度調整機構のスペースを確保するために、ファインダ接眼部１００の近傍１０３が膨出したデザインとなっている。
【０００４】
【発明が解決しようとする課題】
しかし、このような稜線をそぐデザインのカメラにおいて、ファインダ接眼部近傍を膨出させることなく視度調整機構が設けられることが望ましい。
【０００５】
本発明の目的は、カメラなどの外観を膨出させることなく配置を可能とした視度調整機構を提供することにある。
【０００６】
【課題を解決するための手段】
上記目的を達成するために、請求項１の視度調整機構は、視度調整を行うために接眼レンズを該接眼レンズの光軸方向に移動可能に保持する接眼レンズ保持部と、光軸方向とは異なる第１の方向に直線移動することにより保持部を介して接眼レンズを光軸方向に移動させるカムと、カムを第１の方向に移動させるために、カムと一体になって第１の方向に摺動する摺動部材とを備え、摺動部材は、接眼レンズから伸びる第１の方向上に設けられ、接眼レンズと、保持部とカムとが係合する部位と、摺動部材とは第１の方向に略一直線上に配置されるようにしたものである。
請求項２の発明は、請求項１に記載のファインダの視度調整機構において、第１の方向は、光軸方向と略垂直な方向であるとしたものである。
請求項３の発明は、請求項１から２のいずれか１項に記載のファインダの視度調整機構において、視度調整を行うために操作される、摺動部材と係合する操作部材をさらに備え、操作部材の操作面は光軸方向に対して斜めになる角度を有することとしたものである。
請求項４の発明は、請求項３に記載のファインダの視度調整機構において、摺動部材は、操作部材と係合する近傍において、操作面と平行する斜面を有することとしたものである。
請求項５の発明は、請求項１から２のいずれか１項に記載のファインダの視度調整機構において、視度調整を行うために操作され、摺動部材と係合する操作部材と、摺動部材を収納し、摺動部材を第１の方向に摺動させる摺動面を有し、ファインダの視度調整機構製造時に摺動部材が装着可能なようにかつ操作部材と係合が可能なように操作部材が配置される側が開放されたコの字形状の収納部材をさらに備えることとしたものである。
請求項６の発明は、請求項５に記載のファインダの視度調整機構において、操作部材の操作面は光軸方向に対して斜めになる角度を有し、収納部材のコの字形状の開放方向に伸びる２つの面は、操作面に沿うように開放方向への長さが異なることとしたものである。
請求項７の発明は、請求項６に記載のファインダの視度調整機構において、収納部材のコの字形状の開放方向への長さが長い方の面に摺動部材を案内する案内部を設けることとしたものである。
請求項８の発明は、請求項３から７のいずれか１項に記載のファインダの視度調整機構において、操作部材は回転操作部材であり、操作部材と摺動部材は、操作部材の回転を摺動部材の第１の方向の直線運動に変換する機構を有することとしたものである。
請求項９の発明は、請求項１から８のいずれか１項に記載のファインダの視度調整機構において、カムと摺動部材とは一体に形成されていることとしたものである。
請求項１０のカメラは、請求項３、４、６、７のいずれか１項に記載のファインダの視度調整機構を有するファインダ光学系を備え、カメラの外形上面と外形背面の交わる稜線部分を削ぐようにして形成された斜面部分に、操作面が該斜面部分に略平行になるように、操作部材が設けられることとしたものである。
請求項１１のカメラは、請求項１から９のいずれか１項に記載のファインダの視度調整機構を有するファインダ光学系と、カメラ内蔵の閃光装置とを備え、摺動部材は、閃光装置の発光部がカメラに収納された状態の該発光部のカメラ後方側に設けられることとしたものである。
請求項１２のカメラは、請求項３から８のいずれか１項に記載のファインダの視度調整機構を有するファインダ光学系と、カメラ内蔵の閃光装置とを備え、摺動部材は、閃光装置の発光部がカメラに収納された状態の該発光部と操作部材との間に設けられるようにしたものである。
【０００７】
【発明の実施の形態】
図１は、本発明のファインダの視度調整機構を備えたカメラの全体図を示す。図１（ａ）はカメラを後ろから見た背面図、図１（ｂ）はカメラを上から見た上面図、図１（ｃ）はカメラを正面から見た正面図である。図１（ｃ）では、カメラは正立した状態で図示されているが、図１（ａ）の背面図では倒立した状態で図示されている。
【０００８】
図１において、カメラ１は、撮影レンズ２、シャッターレリーズボタン３、電源スイッチ４、ズームスイッチ５、ＬＣＤ表示部６、閃光装置（フラッシュ）７、ＡＦ（オートフォーカス）窓８、ＡＥ（オート露光）窓９、裏蓋１０を有する。また、図１（ｃ）の符号１１はファインダ対物窓であり、図１（ａ）の符号１２はファインダ接眼窓である。ファインダ接眼部１３の図示左横にはパノラマ枠切換レバー１４が設けられ、右横には視度調整ダイアル１５が設けられている。閃光装置７はリトラクタブルタイプの閃光装置であり、使用時に図１（ｃ）のように起立し、未使用時にはカメラ外観に沿った形状になるように収納される（図２）。
【０００９】
図２は、ファインダ接眼部１３、視度調整ダイアル１５、閃光装置７近辺をカメラ後方から見た斜視図である。閃光装置７は未使用で収納された状態である。カメラ１全体を直方体とした場合、カメラ上面とカメラ背面が交差する稜線およびカメラ上面とカメラ側面が交差する稜線はそれぞれそぎ落とされ、丸みを帯びた斜めの傾斜面２１、２２を持つようにデザインされている。これにより、美的効果のみならず、カメラをより小さく見せる効果を奏する。なお、本実施の形態では、斜面２１は、カメラ上面とカメラ背面とに対して約４５°の角度をなすように設定している。しかし、この角度は必ずしも約４５°に限定する必要はなく、例えば３０°〜６０°ぐらいの範囲であってもよい。すなわち、稜線をカットすることにより、カメラをより小さくすっきり見せる効果を示す角度であればよい。この角度は、撮影レンズ２の光軸となす角度、あるいは、後述する接眼レンズ３６の光軸となす角度とも言える。
【００１０】
図２において、傾斜面２１に、ファインダ接眼部１３と視度調整ダイアル１５が設けられている。ファインダ接眼部１３は、ファインダ接眼窓１２が撮影レンズ２の光軸方向と直交して設けられるように、傾斜面２１から張り出した状態で設けられている。これは、撮影者がファインダ接眼窓１２を通して被写体を見る機能上やむを得ないものである。しかし、視度調整ダイアル１５は、操作面が傾斜面２１に沿って配置されるように設けられている。これにより、視度調整ダイアル１５近辺には膨出部がなく、すっきりしたコンパクトなデザインとなっている。また、視度調整ダイアル１５の上側が大きく開放されるので、ファインダ接眼窓１２を除きながらでも容易に視度調整ダイアル１５を操作することができるようになる。なお、操作面とは、視度調整ダイアル１５の回転軸に垂直な面であり、撮影者が視度調整ダイアル１５を指で接触して操作する点を含む面と言える。
【００１１】
図３は、カメラ１のファインダ光学系の横断面を示している。図の左右がカメラの左右に対応し、図の上側が撮影者側すなわち接眼側、図の下側が被写体側すなわち対物側に対応する。ファインダ光学系は、被写体側から対物レンズ群３１、ミラー３２、フィールドレンズ３３、ダハプリズム３４、プリズム３５、接眼レンズ３６からなる。フィールドレンズ３３のダハプリズム３４側の面３７は結像面として設定される。接眼レンズ３６を光軸３８方向に進退させることによって接眼光学系の視度を調整する。
【００１２】
図４は、視度調整ダイアル１５付近の縦断面を示す図である。閃光装置７は収納された状態である。閃光装置７は、発光源のＸｅ管４１と、反射笠４２と、プロテクタ４３とで閃光装置発光部を構成する。駆動ギア８３は、撮影レンズ２の駆動機構（不図示）に連動して回転する。撮影レンズ２が繰り出されると、駆動機構に連動して駆動ギア８３が回転し、閃光装置発光部は駆動軸７８を中心に使用位置まで回転し、図１（ｃ）の使用状態となる。撮影レンズ２が繰り込まれる（沈胴）と、駆動ギア８３は反対方向に回転し、閃光装置発光部は図４の状態に収納される。図４に示すように、閃光装置７が収納されると、カメラの前カバー４４と、閃光装置７と、後カバー４５と、裏蓋１０とで、直方体の稜線がカットされたすっきりかつコンパクトな外形を形成する。なお、後カバー４５の表面は図２の斜面２１に対応する。
【００１３】
一般に、ファインダも閃光装置も、カメラ本体の後ろから見て左寄りにあることが多い。このとき、ファインダ接眼部の左側に視度調整の操作部材を設けると、操作部材がカメラ本体の角に近い所に位置するようになる。このような場合に、視度調整の操作部材の突出部が軽減されることは、すなわち、視度調整ダイアル１５近辺の膨出部がないデザインとすることは、カメラ本体をよりすっきりとコンパクトに見せる上で大きな効果となる。
【００１４】
視度調整ダイアル１５は、後カバー４５にクリック板４６とともに回転可能にビス４７を使用して取り付けられている。クリック板４６は弾性体でできており、後カバー４５の不図示の凸凹と係合して、視度調整ダイアル１５をクリックストップさせる。クリック板４６には、視度調整連動ピン４８が固定されており、視度調整ダイアル１５の回転に伴って回転する。視度調整連動ピン４８は、視度調整連動ブロック４９の連動爪５０に係合し、視度調整ダイアル１５の回転力を視度調整連動ブロック４９に伝達する。視度調整連動ブロック４９はその下部に視度調整カム５１が固定され、ファインダハウジング５２に摺動可能に取り付けられている。
【００１５】
本実施の形態のカメラはフィルムを使用したカメラであり、スプール室７５および巻き上げスプール７６を備える。符号７７はカメラボディである。
【００１６】
図５はファインダユニットを斜め上側から見た斜視図であり、図６ファインダユニットを斜め下側から見た斜視図である。図７は、ファインダユニットの視度調整機構を抜き出して説明する図である。
【００１７】
図５、図６において、視度調整連動ブロック４９に設けられた一対の連動爪５０は二股形状をなし、連動爪５０の間の空間５３に視度調整連動ピン４８が挿入され係合する。また、連動爪５０は、図に示すように、視度調整ダイアル１５の回転面に平行な斜面を有する形状をなしている。ファインダハウジング５２は摺動面５４を有し、視度調整連動ブロック４９はこの摺動面５４に沿って移動する。すなわち、撮影者が視度調整ダイアル１５を回すと、その回転力が、クリック板４６、視度調整連動ピン４８、連動爪５０を介して視度調整連動ブロック４９に伝えられ、視度調整連動ブロック４９は摺動面５４に沿って左右に移動する。
【００１８】
接眼レンズ３６は接眼レンズ保持機構５７を介して接眼レンズガイド軸５５に保持され、付勢バネ５６により対物側（矢印５８側）に付勢されている。なお、本実施の形態では、接眼レンズ３６と接眼レンズ保持機構５７は一体成形されている。ただし、別々に成形し接着するようにしてもよい。図７に示すように、接眼レンズ保持機構５７の下部にはカムフォロアピン５９が固定され、視度調整カム５１と当接する。これにより、接眼レンズ３６の光軸３８方向の位置が規定される。すなわち、視度調整連動ブロック４９が左右方向５５に移動すると、視度調整カム５１の傾斜した面６１に当接するカムフォロアピン５９が面６１に沿って光軸３８方向に移動し、接眼レンズ３６が光軸３８方向に移動する。図５の符号７９はファインダカバーである。
【００１９】
次に、図８、図９を使用して視度調整機構の組立（製造）について説明する。図８は、視度調整カム５１が視度調整連動ブロック４９に取り付けられる様子を説明する図である。視度調整カム５１は、視度調整カム５１の穴６２と視度調整連動ブロック４９のボス６３とが勘合するようにして、視度調整連動ブロック４９に取り付けられる。
【００２０】
図９は、視度調整カム５１が取り付けられた視度調整連動ブロック４９をファインダハウジング５２に取り付ける様子を説明する図である。ファインダハウジング５２は、上ガイド６４と下ガイド６５が張り出した断面コの字状の形状をなしている。コの字状のファインダハウジング５２は、摺動面５４、６６、６７を有し、視度調整カム５１が取り付けられた視度調整連動ブロック４９を収納する。視度調整連動ブロック４９は、矢印６７が示すように、ファインダハウジング５２のコの字状開放側から取り付けられる。その後、視度調整カム５１の先端を穴８２に挿入するようにして組み立てる。
【００２１】
視度調整連動ブロック４９がファインダハウジング５２に取り付けられると、ガイドピン６８が、ガイド溝６９、穴７０を通って視度調整連動ブロック４９の穴７１（図８）に圧入される。図１０は、ガイドピン６８が視度調整連動ブロック４９に圧入されている状態を示す図である。ガイドピン６８の頭７２は、ガイド溝６９に案内され、視度調整連動ブロック４９の摺動方向を矢印５５方向に規定する。また、視度調整連動ブロック４９と視度調整カム５１が矢印７３方向に抜けないようにする抜け止めとしても作用する。
【００２２】
図１０にも示されている通り、ファインダハウジング５２は、矢印７３の開放方向に上ガイド６４と下ガイド６５が伸びるコの字状の形状をなしている。上ガイド６４と下ガイド６５は、その端部を結ぶ面が視度調整ダイアル１５の操作面と平行になるように、上ガイド６４が短く上面６５が長く形成されている。すなわち、上ガイド６４と下ガイド６５の開放方向７３への長さが異なるように形成されている。また、視度調整連動ブロック４９も、視度調整連動ピン４８と係合する近傍において、視度調整ダイアル１５の操作面と平行になる斜面７４を形成している。なお、上ガイド６４と下ガイド６５のそれらの端部を結ぶ面が視度調整ダイアル１５の操作面と平行になるようにしていると上記説明をしたが、必ずしもこの内容に限定しなくてもよい。斜面７４を有する視度調整連動ブロック４９が安定して摺動可能なように、上ガイド６４が短く下ガイド６５が上ガイド６５よりも長く設定してあればよい。
【００２３】
以上により、本実施の形態の視度調整機構をカメラ外観の斜面２１（図２）の下に設けることが可能となり、視度調整ダイアル１５の操作面も斜面２１に平行になるように設けることが可能となる。その結果、接眼レンズ横の狭いスペースを効率よく利用することができる。さらに、部品点数を増やすことなく、図２に示すように、カメラをより小さくすっきり見せることが可能となる。
【００２４】
また、コの字状の形状のファインダハウジング５２の３つの摺動面５４、６６、６７は視度調整連動ブロック４９を受けるとともに摺動方向５５への摺動を可能としているので、視度調整連動ブロック４９の摺動方向５５以外のぶれを防ぐことが可能となり、安定した摺動を確保することができる。さらに、摺動方向５５へのガイド溝６９を、上ガイド６４よりより広い下ガイド６５に設けるようにしているので、十分な大きさのガイド溝６９を形成することが可能となり、さらに安定した摺動を確保することができる。
【００２５】
さらに、ファインダハウジング５２を視度調整ダイアル１５が設けられる方向が開放するコの字状の形状としているので、視度調整機構組立（製造）時の、視度調整連動ブロック４９のファインダハウジング５２への取り付けが容易となる。さらに、視度調整連動ブロック４９と視度調整ダイアル１５の視度調整連動ピン４８との係合が可能となる。
【００２６】
上述したように、本実施の形態の視度調整機構はカメラ外観の斜面２１（図２）の下にコンパクトに設けることが可能となる。そのため、図４にも示す通り、収納された内蔵閃光装置７の発光部と視度調整ダイアル１５との間の内部空間に視度調整機構の摺動部を設けることが可能となる。すなわち、内蔵閃光装置７の発光部の後方の狭い空間に、視度調整機構の摺動部を構成する視度調整連動ブロック４９を効率よく配置することができる。これにより、閃光装置内蔵のカメラにおいて、カメラの外観を小さくすっきり見せながら、視度調整機構を備えたファインダを備えることができる。
【００２７】
なお、本実施の形態では、図５、図６に示すように、ファインダハウジング５２は、コの字状の形状の摺動機構部と接眼レンズ保持機構５７の土台等が一体に形成されている。
【００２８】
上述の実施の形態では、視度調整連動ブロック４９と視度調整カム５１とは別部材として、図８に示すように組み合わせる構成としたが、必ずしもこの内容に限定する必要はない。例えば、図１１に示すように、視度調整連動ブロック部８１と視度調整カム部８０を一体に成形するように構成してもよい。
【００２９】
上述の実施の形態では、フィルムを使用するスチルカメラの例を説明したが必ずしもその内容に限定する必要はない。例えば、動画を撮像するビデオカメラなどにも適用できる。電子カメラなどであってもよい。また、その他の光学機器（製品）であってもよい。すなわち、本発明はファインダ機構を備えるすべての光学機器（製品）に適用できる。
【００３０】
【発明の効果】
本発明は、以上説明したように構成しているので、次のような効果を奏する。
ファインダの接眼レンズ横のスペースを効率よく利用することができる。
また、視度調整の操作部材をカメラなどの光学機器の外観の斜面に設けることができ、部品点数を増やすことなく、視度調整機構付きファインダを備えた光学機器の外観を小さくすっきり見せることが可能となる。
【図面の簡単な説明】
【図１】本実施の形態のファインダの視度調整機構を備えたカメラの全体図を示す。
【図２】本実施の形態の、ファインダ接眼部、視度調整ダイアル、閃光装置近辺をカメラ後方から見た斜視図である。
【図３】カメラのファインダ光学系の横断面を示している。
【図４】視度調整ダイアル付近の縦断面を示す図である。
【図５】ファインダユニットを斜め上側から見た斜視図である。
【図６】ファインダユニットを斜め下側から見た斜視図である。
【図７】ファインダユニットの視度調整機構を抜き出して説明する図である。
【図８】視度調整カムが視度調整連動ブロックに取り付けられる様子を説明する図である。
【図９】視度調整カムが取り付けられた視度調整連動ブロックをファインダハウジングに取り付ける様子を説明する図である。
【図１０】ガイドピンが視度調整連動ブロックに圧入されている状態を示す図である。
【図１１】視度調整連動ブロックと視度調整カムを一体に成形したものを示す図である。
【図１２】ファインダ接眼部、視度調整ダイアル、閃光装置近辺をカメラ後方から見た従来のカメラの外観デザインの一例である。
【符号の説明】
２  撮影レンズ
７  閃光装置
１２  ファインダ接眼窓
１３  ファインダ接眼部
１５  視度調整ダイアル
２１、２２  傾斜面
３６  接眼レンズ
４９  視度調整連動ブロック
５０  連動爪
５１  視度調整カム
５２  ファインダハウジング
５５  接眼レンズガイド軸
５７  接眼レンズ保持機構
５９  カムフォロアピン
６１  面
６４  上面
６５  下面
５４、６６、６７  摺動面
６９  ガイド溝
７４  斜面
【図１】
0003925167.tif 000002
【図２】
0003925167.tif 000003
【図３】
0003925167.tif 000004
【図４】
0003925167.tif 000005
【図５】
0003925167.tif 000006
【図６】
0003925167.tif 000007
【図７】
0003925167.tif 000008
【図８】
0003925167.tif 000009
【図９】
0003925167.tif 000010
【図１０】
0003925167.tif 000011
【図１１】
0003925167.tif 000012
【図１２】
0003925167.tif 000013